(57)【要約】【課題】  化粧皿を簡単な操作で取り出すことができ、かつ構成が簡易な化粧用コンパクトの本体を提供する。【解決手段】  中枠21内面と該中枠内へ嵌合させた化粧品皿周壁43外面との各一部へ付設した凹凸の第１、第２係合条29、44の嵌合で化粧品皿41の上方抜出しを防止させるように設け、上記第１係合条29を有する中枠部分下方の容器体底壁部分に透孔６を穿設するとともに、該透孔側の容器体底壁部分を、付勢に抗して化粧品皿41で押し下げられた第１板バネ９に、かつ第１係合条29を有する中枠部分を第２板バネ27として、該第２板バネ下端から垂下させた突部28を上記透孔６へ垂下させておき、該突部の外方押圧で第１、第２係合条29、44の嵌合が外れたとき、第１板バネ９が化粧品皿41を押上げ可能に形成した。【選択図】  図１
2005131271.tif 000002
【特許請求の範囲】
【請求項１】
容器体周壁３へ中枠21を、かつ該中枠内へ化粧品皿41を、それぞれ嵌合させて、中枠21内面と化粧品皿周壁43外面との各一部へ付設した凹凸の第１、第２係合条29、44の嵌合で化粧品皿41の上方抜出しを防止させた化粧用コンパクト容器体において、
上記第１係合条29を有する中枠部分下方の容器体底壁部分に透孔６を穿設するとともに、該透孔側の容器体底壁部分を、付勢に抗して化粧品皿41で押し下げられた第１板バネ９に、かつ第１係合条29を有する中枠部分を第２板バネ27として、該第２板バネ下端から垂下させた突部28を上記透孔６へ垂下させておき、
該突部の外方押圧で第１、第２係合条29、44の嵌合が外れたとき、第１板バネ９が化粧品皿41を押上げ可能に形成したことを特徴とする、化粧用コンパクトの容器体。
【請求項２】
容器体周壁３内へ中皿31を、かつ該中皿内へ化粧品皿41をそれぞれ嵌合させて、中皿31周壁内面と化粧品皿周壁43外面との各一部に付設した凹凸の第１、第２係合条29、44の嵌合で化粧品皿41の上方抜出しを防止させた化粧用コンパクト容器体において、
上記第１係合条29を有する中皿周壁部分下方の容器体底壁２部分に透孔６を穿設するとともに、第１係合条29を有する中皿周壁部分下方側の中皿底壁部分を付勢に抗して化粧品皿41で押し下げられた第１板バネ９に、かつ第１係合条29を有する中皿周壁部分を、第２板バネ27として、該第２板バネ下端27aを上記透孔６内へ垂下させておき、
該第２板バネ下端27aを外方押し出しして上記第１、第２係合条29、44の嵌合が外れたとき、第１板バネ９が化粧品皿41を押上げ可能に形成したことを特徴とする、化粧用コンパクト容器体。
【請求項３】
周壁３の少なくとも一部上端から内向きフランジ12を介して内壁13を垂下する容器体１内へ、化粧品皿41を嵌合させて内壁13の内面と化粧品皿周壁43の外面との各一部へ付設した凹凸の第１、第２係合条29、44の嵌合で化粧品皿41の上方抜出しを防止させた化粧用コンパクト容器体１において、
上記第１係合条29を有する内壁下方の容器体底壁部分に透孔６を穿設するとともに該透孔側の容器体底壁部分を、付勢に抗して化粧品皿41で押し下げられた第１板バネ９にかつ該第１係合条を有する内壁部分を第２板バネ27として、該第２板バネ下端から垂下させた突部28を上記透孔６内へ垂下させておき、該突部の外方押圧で第１、第２係合条29、44の嵌合が外れたとき、第１板バネ９が化粧品皿41を押上げ可能に形成したことを特徴とする化粧用コンパクト容器体。
【請求項４】
上記第１板バネ９は、その長手方向両端部を固定端9a,9bとし、かつこれら両端部に対して長手方向中間板部が上方へ張り出すように形成させたことを特徴とする、請求項１、請求項２又は請求項３記載の化粧用コンパクト容器体。
【発明の詳細な説明】
【技術分野】
【０００１】
本発明は化粧用コンパクトの容器体に関する。
【背景技術】
【０００２】
容器体内へ化粧品皿を嵌合させて、容器体周壁の内面と化粧品皿周壁外面とに設けた凹凸の係合条を嵌合させ、該嵌合により化粧品皿の上方抜出しを防止すると共に、容器本体底壁一部を開口して、該開口内へレバーを装着させ、該レバー操作で上記化粧品皿を容器体から外して化粧品皿の交換ができるようにした化粧用コンパクトが知られている。
【特許文献１】実開平６−７２５１１号
【発明の開示】
【発明が解決しようとする課題】
【０００３】
上記従来例のレバーは別部材で形成するため構造が複雑化することとなる。
【０００４】
本発明は、その構造を簡易化するともに、化粧皿の取り外しも容易とすることが可能に形成したものである。
【課題を解決するための手段】
【０００５】
第１の手段は、容器体周壁３へ中枠21を、かつ該中枠内へ化粧品皿41を、それぞれ嵌合させて、中枠21内面と化粧品皿周壁43外面との各一部へ付設した凹凸の第１、第２係合条29、44の嵌合で化粧品皿41の上方抜出しを防止させた化粧用コンパクト容器体において、
上記第１係合条29を有する中枠部分下方の容器体底壁部分に透孔６を穿設するとともに、該透孔側の容器体底壁部分を、付勢に抗して化粧品皿41で押し下げられた第１板バネ９に、かつ第１係合条29を有する中枠部分を第２板バネ27として、該第２板バネ下端から垂下させた突部28を上記透孔６へ垂下させておき、
該突部の外方押圧で第１、第２係合条29、44の嵌合が外れたとき、第１板バネ９が化粧品皿41を押上げ可能に形成している。
【０００６】
第２の手段は、容器体周壁３内へ中皿31を、かつ該中皿内へ化粧品皿41をそれぞれ嵌合させて、中皿31周壁内面と化粧品皿周壁43外面との各一部に付設した凹凸の第１、第２係合条29、44の嵌合で化粧品皿41の上方抜出しを防止させた化粧用コンパクト容器体において、
上記第１係合条29を有する中皿周壁部分下方の容器体底壁２部分に透孔６を穿設するとともに、第１係合条29を有する中皿周壁部分下方側の中皿底壁部分を付勢に抗して化粧品皿41で押し下げられた第１板バネ９に、かつ第１係合条29を有する中皿周壁部分を、第２板バネ27として、該第２板バネ下端27aを上記透孔６内へ垂下させておき、
該第２板バネ下端27aを外方押し出しして上記第１、第２係合条29、44の嵌合が外れたとき、第１板バネ９が化粧品皿41を押上げ可能に形成している。
【０００７】
第３の手段は、周壁３の少なくとも一部上端から内向きフランジ12を介して内壁13を垂下する容器体１内へ、化粧品皿41を嵌合させて内壁13の内面と化粧品皿周壁43の外面との各一部へ付設した凹凸の第１、第２係合条29、44の嵌合で化粧品皿41の上方抜出しを防止させた化粧用コンパクト容器体１において、
上記第１係合条29を有する内壁下方の容器体底壁部分に透孔６を穿設するとともに該透孔側の容器体底壁部分を、付勢に抗して化粧品皿41で押し下げられた第１板バネ９にかつ該第１係合条を有する内壁部分を第２板バネ27として、該第２板バネ下端から垂下させた突部28を上記透孔６内へ垂下させておき、該突部の外方押圧で第１、第２係合条29、44の嵌合が外れたとき、第１板バネ９が化粧品皿41を押上げ可能に形成している。
【０００８】
第４の手段は、上記第１の手段、第２の手段、又は第３の手段を有し、かつ上記第１板バネ９は、その長手方向両端部を固定端9a,9bとし、かつこれら両端部に対して長手方向中間板部が上方へ張り出すように形成させた。
【発明の効果】
【０００９】
請求項１、請求項２、及び請求項３の発明によれば次の効果を奏する。
○容器体１又は中皿31の各底壁の一部を化粧品皿41押上げ用の第１板バネ９に形成したから、皿押上げ用レバーを別部材として設ける場合に比べて構造が単純となる。
○容器体周壁３内へ嵌合させた中枠21又は中皿31の各一部、或いは容器体周壁３上端から垂下した内壁13の一部で第２板バネ27を形成し、該第２板バネ内面と化粧品皿41周壁外面とに付設する第１、第２係合条29、44を嵌合させたから、上記第2板バネ27の外方押込みにより容易に両係合条の嵌合を解いて化粧品皿41を取出しできる。
【００１０】
請求項４の発明によれば、第１板バネ９は、両端部を固定端9a,9bとし、かつこれら両端から上方へ張り出すように形成したから、板バネの弾性疲労により化粧品皿41押上げ力が減少するという不都合を軽減することができる。
【発明を実施するための最良の形態】
【００１１】
図１から図５は、本発明の第１実施形態を示している。
【００１２】
１は、容器体で、底壁２外周から周壁３を起立する。図１が示すようにその周壁後壁部3aの左右方向中間部には蓋体16後部から垂下させた軸受板17嵌合用の凹部４を穿設しており、又前壁部3bの左右方向中間前部には凹部を設けて該凹部内へ蓋体開蓋用押釦５を装着させている。尚、18は鏡である。
【００１３】
21は、容器体周壁３の内面へ嵌合させた中枠で、該中枠の上端に付設した外向きフランジ22を容器体周壁３の上面へ載置させている。該中枠の左右方向中間部には図１に示す如く仕切り板23を設け、その左右側方の一方を化粧品皿収納室24に、他方をパフなどの化粧用具収納室25にそれぞれ形成している。
【００１４】
41は、化粧品皿で、上記化粧品皿収納室24内へ嵌合させている。
【００１５】
上記構成において、本発明にあっては、上記化粧品皿収納室24の底壁２部分の前部に左右巾広の透孔６を、又、該透孔６後方の底壁部に左右に長い切割り７をそれぞれ穿設して、これら透孔６と切割り７との間の底壁部分を、長手方向両端部（図示例では左右両端部）を固定端9a、9bとする第１板バネ９に形成している。尚、図示例では上記透孔６後方の底壁部分下面に指挿入用凹部10を浅く設け、該凹部の上方底壁部分の一部を上記第1板バネ９に形成している。
【００１６】
該第１板バネ９は、容器の成形時において図５の如く上方へ張り出す湾曲板部に形成しており、図４の如く上記化粧品皿41の嵌合によって該化粧品皿の底板42がその第1板バネを付勢に抗し押下げし、後述第1、第２係合条の嵌合取り外しにより第１板バネ９が弾性復元して化粧品皿41前部を押上げるように設ける。
【００１７】
既述中枠21の前枠部は、その上端部への切離線26横設により外向きフランジ22から切離して、前後方向への弾性変形可能な第２板バネ27に形成している。又、該第２板バネの下端からは突部28を上記透孔６内へ垂設している。該突部28の下端は透孔６下端面より下方に突出しないように設ける。又、上記第２板バネ27の後面には凸状の第１係合条29を付設し、該第１係合条と対応する化粧品皿周壁43前壁部前面には凹状の第２係合条44を設ける。
【００１８】
上記構成において、図４が示す化粧品皿41嵌合状態から、蓋体16を開蓋し第２板バネ27下端の突起28を前方へ押圧すると、第1、第2係合条29,44の嵌合が外れ、すると弾性に抗して撓められていた第１板バネ９が図５の如く弾性復元することで化粧品皿底板42の前部を押上げることとなり、該化粧品皿の取り外しをすることができる。
【００１９】
新たな化粧品皿41を嵌合させる場合には、該化粧品皿が有する第２係合条44を第1係合条29上方へ位置させて化粧品皿収納室内へ押下げすればよく、これにより両係合条29、44が嵌合し、次に蓋体16を閉じると図２の状態に戻る。
【００２０】
以下本発明の他の実施形態を説明するが、第1実施形態と同じ構成部分については同一符号を付することで説明を省略する。
【００２１】
図６及び図７は本発明の第２実施形態を示す。該実施形態は、既述仕切り板23を逆U字形の２重壁とし、その化粧品皿収納室24側の側壁に既述第２板バネ27を設け、又、その下方の化粧品皿収納室側の容器体底壁部分に透孔６を、その内方底壁部分に第１板バネ９を形成したものである。
【００２２】
図８は本発明の第３実施形態を示す。該実施形態は、第１実施形態の中枠に代えて、有底筒形の中皿31を上記容器体周壁３内に嵌合させ、かつ既述化粧品皿周壁43の前壁に対応する中皿周壁32前壁部分を既述第２板バネ27に、又中皿の底壁33前部を第１板バネ９にそれぞれ形成している。該第１板バネ９の前端部と第２板バネ27の下部とは切割り34穿設により切り離している。容器体底壁２には既述透孔６及び指挿入用凹部10を設ける。
【００２３】
図９は本発明の第４実施形態を示す。該実施形態は、第1実施形態の中枠に代えて、下面開放の容器体周壁３の上端から内向きフランジ12を介して垂下する内壁13を設け、該内壁の下面を底壁２で閉塞したものである。上記化粧品皿周壁43前壁に対応する内壁13前壁部分は、該前壁部分上端へ切離し線14を穿設するとともに、上記前壁部分下端に連続する底壁前端部を切り欠いて透孔６を開口することで第２板バネ27に形成している。又、該板バネ27下端からは突部28を透孔６内へ垂下している。更に、上記透孔６に連続する底壁２前部分は、第1実施形態と同様の切割り７穿設により第１板バネ９に形成したものである。
【００２４】
尚、既述第1、第2板バネなどからなる化粧品皿側部押上げ機構は、化粧品皿収納室24のどの部分に設けても良い。
【図面の簡単な説明】
【００２５】
【図１】本発明の第1の実施形態に係る容器の一部切欠き平面図である。
【図２】図１容器の縦断面図である。
【図３】図２の要部拡大図である。
【図４】図１のIV−IV線方向に見た断面図である。
【図５】図１容器の作用説明図である。
【図６】本発明の第２の実施形態に係るの一部切欠き平面図である。
【図７】図６容器の縦断面図である。
【図８】本発明の第３の実施形態に係る縦断面図である。
【図９】本発明の第４の実施形態に係る要部拡大縦断面図である。
【符号の説明】
【００２６】
１…容器体  16…蓋体  21…中枠  31…中皿  41…化粧品皿
【図１】
2005131271.tif 000003
【図２】
2005131271.tif 000004
【図３】
2005131271.tif 000005
【図４】
2005131271.tif 000006
【図５】
2005131271.tif 000007
【図６】
2005131271.tif 000008
【図７】
2005131271.tif 000009
【図８】
2005131271.tif 000010
【図９】
2005131271.tif 000011